(57)【要約】    【課題】  脚部の下端部へ被せるキャップを紛失することがなく、軽量で持ち運びがしやすく、片手でも簡単に折畳むことができる絶縁脚立を提供することを目的とする。    【解決手段】  脚部１と、脚部１の下端部に着脱自在に設けられたキャップ４と、キャップ４と脚部１の側部とを連結する引張コイルばね５とを備えた。上部脚部材２をアルミニウムまたはアルミニウム合金から形成し、下部脚部材３をＡＢＳ樹脂から形成した。上部脚部材２ａの間と上部脚部材２ｂの間にそれぞれ踏桟部13ａ，13ｂを備え、踏桟部13ａ，13ｂの間に上部脚部材２ａ，２ｂの開度を規制するチェーン14を設けた。【選択図】  図１
0003102055.tif 000002
【実用新案登録請求の範囲】
【請求項１】
脚部と、この脚部の下端部に着脱自在に設けられたキャップと、このキャップと前記脚部の側部とを連結する連結手段とを備えたことを特徴とする絶縁脚立。
【請求項２】
前記キャップを前記脚部の下端部から取り外したときに前記連結手段を収容する収容手段を前記脚部の側部に備えたことを特徴とする請求項１記載の絶縁脚立。
【請求項３】
前記キャップを前記脚部の下端部から取り外したときに前記キャップを係止する係止手段を前記脚部の側部に設けたことを特徴とする請求項１または２記載の絶縁脚立。
【請求項４】
前記連結手段が引張コイルばねであり、この引張コイルばねは、前記キャップを前記脚部の下端部から取り外したときに収縮し、前記キャップを前記脚部の下端部へ取り付けたときに伸長するように構成されたことを特徴とする請求項１〜３のいずれか１項記載の絶縁脚立。
【請求項５】
前記脚部は、前記脚部の上部を構成する上部脚部材と、前記脚部の下部を構成し前記上部脚部材と一体に設けられた下部脚部材とから構成され、前記上部脚部材がアルミニウムまたはアルミニウム合金から形成され、前記下部脚部材がＡＢＳ樹脂から形成されたことを特徴とする請求項１〜４のいずれか１項記載の絶縁脚立。
【請求項６】
前記脚部の上端部に台部を備え、１対の前記上部脚部材が前記台部にヒンジ部を介して回動自在に設けられ、別の１対の前記上部脚部材が前記台部に固定されたことを特徴とする請求項５項記載の絶縁脚立。
【請求項７】
１対の前記脚部材の上端部に筒状部材を備え、前記台部は枠状部材から形成されるとともに、前記ヒンジ部が前記筒状部材に前記枠状部材を挿入して構成されたことを特徴とする請求項６記載の絶縁脚立。
【請求項８】
１対の前記上部脚部材の間と別の１対の前記上部脚部材の間にそれぞれ踏桟部を備え、これら踏桟部の間に前記上部脚部材の開度を規制するチェーンを設けたことを特徴とする請求項５〜８のいずれか１項記載の絶縁脚立。
【考案の詳細な説明】
【技術分野】
【０００１】
本考案は、電気工事に用いられる絶縁脚立に関する。
【背景技術】
【０００２】
従来、屋外で用いた絶縁脚立を屋内へ持ち込んで使用する際は、屋内の床面を汚したり傷つけたりしないように、予め絶縁脚立の脚部に付着した土や泥などの汚れを拭き取らなければならず、面倒であった。
【０００３】
そこで、屋内の床面を汚したり傷つけたりすることを防止するために、屋内で用いる場合に絶縁脚立の脚部の下端部へキャップを被せることも考えられるが、この場合、屋外で使用する際には、脚部の下端部から取り外したキャップが紛失するおそれがあった。
【０００４】
また、従来の絶縁脚立は、繊維強化プラスチック（ＦＲＰ）製であったために重く、持ち運びがたいへんであった。また、従来の絶縁脚立は、脚部を一定の開度に保持するための開き止め金具が設けられていたため、絶縁脚立を折畳む際にはこの開き止め金具による脚部の保持を解除するために両手を用いなければならず、工具等を持っている場合は一旦工具を置く必要があり、面倒であった。
【考案の開示】
【考案が解決しようとする課題】
【０００５】
本考案は、脚部の下端部へ被せるキャップを紛失することがなく、軽量で持ち運びがしやすく、片手でも簡単に折畳むことができる絶縁脚立を提供することを目的とする。
【課題を解決するための手段】
【０００６】
本考案の請求項１記載の絶縁脚立は、脚部と、この脚部の下端部に着脱自在に設けられたキャップと、このキャップと前記脚部の側部とを連結する連結手段とを備えたことを特徴とする。
【０００７】
本考案の請求項２記載の絶縁脚立は、請求項１において、前記キャップを前記脚部の下端部から取り外したときに前記連結手段を収容する収容手段を前記脚部の側部に備えたことを特徴とする。
【０００８】
本考案の請求項３記載の絶縁脚立は、請求項１または２において、前記キャップを前記脚部の下端部から取り外したときに前記キャップを係止する係止手段を前記脚部の側部に設けたことを特徴とする。
【０００９】
本考案の請求項４記載の絶縁脚立は、請求項１〜３のいずれか１項において、前記連結手段が引張コイルばねであり、この引張コイルばねは、前記キャップを前記脚部の下端部から取り外したときに収縮し、前記キャップを前記脚部の下端部へ取り付けたときに伸長するように構成されたことを特徴とする。
【００１０】
本考案の請求項５記載の絶縁脚立は、請求項１〜４のいずれか１項において、前記脚部は、前記脚部の上部を構成する上部脚部材と、前記脚部の下部を構成し前記上部脚部材と一体に設けられた下部脚部材とから構成され、前記上部脚部材がアルミニウムまたはアルミニウム合金から形成され、前記下部脚部材がＡＢＳ樹脂から形成されたことを特徴とする。
【００１１】
本考案の請求項６記載の絶縁脚立は、請求項５項において、前記脚部の上端部に台部を備え、１対の前記上部脚部材が前記台部にヒンジ部を介して回動自在に設けられ、別の１対の前記上部脚部材が前記台部に固定されたことを特徴とする。
【００１２】
本考案の請求項７記載の絶縁脚立は、請求項６において、１対の前記脚部材の上端部に筒状部材を備え、前記台部は枠状部材から形成されるとともに、前記ヒンジ部が前記筒状部材に前記枠状部材を挿入して構成されたことを特徴とする。
【００１３】
本考案の請求項８記載の絶縁脚立は、請求項５〜８のいずれか１項において、１対の前記上部脚部材の間と別の１対の前記上部脚部材の間にそれぞれ踏桟部を備え、これら踏桟部の間に前記上部脚部材の開度を規制するチェーンを設けたことを特徴とする。
【考案の効果】
【００１４】
本考案の請求項１における絶縁脚立では、キャップと脚部の側部とを連結する連結手段を備えたので、キャップを紛失することがない。
【００１５】
本考案の請求項２における絶縁脚立では、キャップを脚部の下端部から取り外したときに連結手段を収容する収容手段を脚部の側部に備えたので、連結手段の汚れを防止できる。
【００１６】
本考案の請求項３における絶縁脚立では、キャップを脚部の下端部から取り外したときにキャップを係止する係止手段を脚部の側部に設けたので、使用していないキャップを定位置に係止しておくことができる。
【００１７】
本考案の請求項４における絶縁脚立では、連結手段が引張コイルばねであり、引張コイルばねは、キャップを脚部の下端部から取り外したときに収縮し、キャップを脚部の下端部へ取り付けたときに伸長するように構成されたので、引張コイルばねの付勢に抗して引張コイルばねを伸長させることでキャップを脚部の下端部に取り付けることができ、キャップを脚部の下端部から取り外すと引張コイルばねが自然に収縮してキャップが脚部の側部の近傍に移動するので、脚部の下端部へのキャップの着脱を簡単に行うことができる。
【００１８】
本考案の請求項５における絶縁脚立では、脚部は、脚部の上部を構成する上部脚部材と、脚部の下部を構成し上部脚部材と一体に設けられた下部脚部材とから構成され、上部脚部材がアルミニウムまたはアルミニウム合金から形成され、下部脚部材がＡＢＳ樹脂から形成されたので、良好な絶縁性を有し、軽量で持ち運びがしやすい絶縁脚立を提供することができる。
【００１９】
本考案の請求項６における絶縁脚立では、脚部の上端部に台部を備え、１対の上部脚部材が台部にヒンジ部を介して回動自在に設けられ、別の１対の上部脚部材が台部に固定されたので、ヒンジ部を持ち上げて簡単に折畳むことができる。
【００２０】
本考案の請求項７における絶縁脚立では、１対の脚部材の上端部に筒状部材を備え、台部は枠状部材から形成されるとともに、ヒンジ部が筒状部材に枠状部材を挿入して構成されたので、ヒンジ部の強度を強くすることができる。
【００２１】
本考案の請求項８における絶縁脚立では、１対の上部脚部材の間と別の１対の上部脚部材の間にそれぞれ踏桟部を備え、これら踏桟部の間に上部脚部材の開度を規制するチェーンを設けたので、持ち上げるだけで片手でも簡単に折畳むことができる。
【考案を実施するための最良の形態】
【００２２】
以下、本考案の絶縁脚立の一実施例について、添付した図面を参照しながら説明する。
【００２３】
１は脚部であり、本実施例の絶縁脚立は２対の脚部１を有している。この脚部１は、脚部１の上部を構成する上部脚部材２と、脚部１の下部を構成する下部脚部材３とから構成されている。上部脚部材２は、アルミニウムまたはアルミニウム合金から形成され、下部脚部材３は、ＡＢＳ樹脂から形成されている。このように上部脚部材２と下部脚部材３に軽量な材料を用いることで、絶縁脚立の重量は軽くなっている。そして、上部脚部材２と下部脚部材３は、雨水などが浸入しないように隙間なく一体に接合されている。
【００２４】
脚部１の下端部、すなわち下部脚部材３の下端部には、キャップ４が着脱自在に設けられている。このキャップ４は、ポリプロピレン（ＰＰ）、ゴム、またはポリカーボネート樹脂から形成され、キャップ４の端部には連結手段としての引張コイルばね５の一端が接続している。
【００２５】
上部脚部材２の側部には、引張コイルばね５を収容する収容手段としての筒状部材６が設けられており、引張コイルばね５の他端は、筒状部材６の内部の上端部近傍に固定されている。このように、引張コイルばね５はキャップ４と脚部１の側部とを連結している。また、下部脚部材３の側部の上端部近傍には、キャップ４を係止する係止手段としてのフック部７が下部脚部材３と一体に形成されている。そして、キャップ４を下部脚部材３の下端部へ取り付けたときに、引張コイルばね５は筒状部材６の外部に伸長し、キャップ４を下部脚部材３の下端部から取り外したときに、引張コイルばね５は収縮して筒状部材６に収容されるようになっている。また、下部脚部材３の下端部から取り外されたキャップ４は、引張コイルばね５による付勢によりフック部７に係止されるようになっている。
【００２６】
２対の上部脚部材２（２ａ，２ｂ）の上端部には、台部８が設けられている。この台部８は、略コ字状に曲げ形成された断面が略円形の２本の枠状部材９と、断面が略円形であって内径が枠状部材９の外径よりも少し大きい２本の筒状部材10（10ａ，10ｂ）と、断面が四角形の２本の角状部材11とから構成されている。そして、２本の筒状部材10の両端に２本の枠状部材９の端部を挿入し、２本の枠状部材９の中央部近傍の側部を２本の角状部材の端部と溶接により接合することによって台部８が形成されている。
【００２７】
そして、一方の１対の上部脚部材２ａの上端部は、一方の筒状部材10ａの側面に溶接により接合され、他方の１対の上部脚部材２ｂの上端部は、枠状部材９と角状部材11の接合部に溶接により固定されている。また、上部脚部材２ａが接合された筒状部材10ａは、枠状部材９を中心に回動自在となっており、筒状部材10ａと枠状部材９とでヒンジ部12が構成されている。このように、ヒンジ部12は筒状部材10ａに枠状部材９の端部を挿入して構成されており、一方の１対の上部脚部材２ａは、台部８にヒンジ部12を介して回動自在に設けられている。
【００２８】
一方の１対の上部脚部材２ａの下端部近傍と、他方の１対の上部脚部材２ｂの下端部近傍には、それぞれ踏桟部13ａ，13ｂが設けられている。踏桟部13ａは、一方の１対の上部脚部材２ａの間に、踏桟部13ｂは、他方の１対の上部脚部材２ｂの間に跨って設けられ、踏桟部13ａと上部脚部材２ａ、踏桟部13ｂと上部脚部材２ｂは、それぞれ溶接により接合されている。そして、２つの踏桟部13ａ，13ｂの間には、上部脚部材２ａ，２ｂの開度を規制するチェーン14が設けられている。このチェーン14は、上部脚部材２ａに対して上部脚部材２ｂがある一定の角度以上に開くなることを妨げるが、閉じることは妨げないように構成されている。したがって、筒状部材10ａを把持して持ち上げることで、重力により脚部１が閉じるようになっている。また、上部脚部材２ａの幅は上部脚部材２ｂの幅よりも小さくなっており、脚部１を閉じたときに脚部１同士が当接せずにコンパクトに折畳めるようになっている。
【００２９】
つぎに、作用を説明する。本実施例の絶縁脚立を室内で用いる場合には、引張コイルばね５による付勢に抗して、フック部７からキャップ４を外し、このキャップ４を下部脚部材３の下端部へ取り付ける。このとき、引張コイルばね５は筒状部材６の外部に伸長する。そして、脚部１を開いて床面に載置すると、チェーン14により上部脚部材２ａに対する上部脚部材２ｂの角度が規制され、脚部１はある一定の角度で開いた状態で保持される。また、筒状部材10ａを把持して持ち上げると、重力により脚部１が閉じる。このとき、チェーン14は、上部脚部材２ａに対して上部脚部材２ｂが閉じることを妨げない。また、脚部１を閉じたときに脚部１同士は当接せず、コンパクトに折畳まれる。
【００３０】
本実施例の絶縁脚立を室外で用いる場合には、キャップ４を下部脚部材３の下端部から取り外す。このとき、引張コイルばね５は、自らの付勢によって収縮して筒状部材６に収容される。また、下部脚部材３の下端部から取り外されたキャップ４は、引張コイルばね５による付勢によりフック部７に係止される。
【００３１】
このように、キャップ４が下部脚部材３の側部に係止されるので、取り外したキャップ４が邪魔になることなく、また、キャップ４を紛失することがない。また、キャップ４を再び下部脚部材３の下端部に取り付けるときには、フック部７に係止されているキャップ４を取り付ければよいので、キャップ４を探すことなく簡単に取り付けることができる。
【００３２】
以上のように、上記実施例においては、脚部１と、この脚部１の下端部に着脱自在に設けられたキャップ４と、このキャップ４と前記脚部１の側部とを連結する連結手段たる引張コイルばね５とを備えたものであり、キャップ４を紛失することがない。
【００３３】
また、前記キャップ４を前記脚部１の下端部から取り外したときに前記引張コイルばね５を収容する収容手段たる筒状部材６を前記脚部１の側部に備えたものであり、引張コイルばね５の汚れを防止できる。
【００３４】
また、前記キャップ４を前記脚部１の下端部から取り外したときに前記キャップ４を係止する係止手段たるフック部７を前記脚部１の側部に設けたものであり、使用していないキャップ４を定位置に係止しておくことができる。
【００３５】
また、前記連結手段が引張コイルばね５であり、この引張コイルばね５は、前記キャップ４を前記脚部１の下端部から取り外したときに収縮し、前記キャップ４を前記脚部１の下端部へ取り付けたときに伸長するように構成されたものであり、引張コイルばね５の付勢に抗して引張コイルばね５を伸長させることでキャップ４を脚部の下端部に取り付けることができ、キャップ４を脚部１の下端部から取り外すと引張コイルばね５が自然に収縮してキャップ４が脚部１の側部の近傍に移動するので、脚部１の下端部へのキャップ４の着脱を簡単に行うことができる。
【００３６】
また、前記脚部１は、前記脚部１の上部を構成する上部脚部材２（２ａ，２ｂ）と、前記脚部１の下部を構成し前記上部脚部材２と一体に設けられた下部脚部材３とから構成され、前記上部脚部材２がアルミニウムまたはアルミニウム合金から形成され、前記下部脚部材３がＡＢＳ樹脂から形成されたものであり、良好な絶縁性を有し、軽量で持ち運びがしやすい絶縁脚立を提供することができる。
【００３７】
また、前記脚部１の上端部に台部８を備え、１対の前記上部脚部材２ａが前記台部８にヒンジ部12を介して回動自在に設けられ、別の１対の前記上部脚部材２ｂが前記台部８に固定されたものであり、ヒンジ部12を持ち上げて簡単に折畳むことができる。
【００３８】
また、１対の前記脚部材２ａの上端部に筒状部材10ａを備え、前記台部８は枠状部材９から形成されるとともに、前記ヒンジ部12が前記筒状部材10ａに前記枠状部材９を挿入して構成されたものであり、ヒンジ部12の強度を強くすることができる。
【００３９】
さらに、１対の前記上部脚部材２ａの間と別の１対の前記上部脚部材２ｂの間にそれぞれ踏桟部13ａ，13ｂを備え、これら踏桟部13ａ，13ｂの間に前記上部脚部材２ａ，２ｂの開度を規制するチェーン14を設けたものであり、持ち上げるだけで片手でも簡単に折畳むことができる。
【００４０】
なお、本考案は上記各実施例に限定されるものではなく、種々の変形実施が可能である。例えば、連結手段は引張コイルばねに限定せず、ゴムや紐などで構成してもよい。
【図面の簡単な説明】
【００４１】
【図１】本考案の絶縁脚立の一実施例を示す斜視図である。
【図２】同上上面図である。
【図３】同上側面図である。
【図４】折畳んだ状態を示す側面図である。
【図５】同上正面図である。
【図６】キャップを取り外した状態を示す斜視図である。
【図７】同上側面図である。
【符号の説明】
【００４２】
１  脚部
２，２ａ，２ｂ  上部脚部材
３  下部脚部材
４  キャップ
５  引張コイルばね（連結手段）
７  フック部（係止手段）
８  台部
９  枠状部材
10ａ  筒状部材
12  ヒンジ部
13ａ，13ｂ  踏桟部
14  チェーン
【図１】
0003102055.tif 000003
【図２】
0003102055.tif 000004
【図３】
0003102055.tif 000005
【図４】
0003102055.tif 000006
【図５】
0003102055.tif 000007
【図６】
0003102055.tif 000008
【図７】
0003102055.tif 000009